【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
アドホック・サービス・プロバイダであって、
ユーザ・インターフェースと、
ユーザが前記ユーザ・インターフェースを介してネットワークにワイヤレスでアクセスできるように構成された処理システムであって、
リモート・サーバによって認証されたモバイル・クライアントに対して前記ネットワークへのワイヤレス・アクセス・ポイントを提供し、
前記アドホック・サービス・プロバイダの能力に部分的に基づいて、前記ネットワークに亘って期待されるサービスを特定するサービス情報を前記モバイル・クライアントに通知し、
前記モバイル・クライアントに関連するリソース利用をモニタするよう構成された処理システムと、
を備えるアドホック・サービス・プロバイダ。
【請求項２】
前記処理システムが、前記モバイル・クライアントの前記認証をサポートするために前記モバイル・クライアントと前記サーバとの間で認証メッセージをルーティングするようにさらに構成された、請求項１に記載のアドホック・サービス・プロバイダ。
【請求項３】
前記処理システムが、別のモバイル・クライアントとのワイヤレス・リンクを維持するようにさらに構成され、前記ワイヤレス・リンクが、前記別のアドホック・サービス・プロバイダへの前記別のモバイル・クライアントのハンドオフを円滑にするために維持される、請求項１に記載のアドホック・サービス・プロバイダ。
【請求項４】
前記処理システムが、ハンドオフ前に前記別のモバイル・クライアントを事前認証するために、前記モバイル・クライアントと前記サーバとの間で認証メッセージをルーティングするようにさらに構成された、請求項３に記載のアドホック・サービス・プロバイダ。
【請求項５】
前記処理システムが、前記ワイヤレス・アクセス・ポイントからサービス情報をブロードキャストするようにさらに構成された、請求項１に記載のアドホック・サービス・プロバイダ。
【請求項６】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項１に記載のアドホック・サービス・プロバイダ。
【請求項７】
前記処理システムが、前記サービス情報を動的に変化させるようにさらに構成された、請求項１に記載のアドホック・サービス・プロバイダ。
【請求項８】
前記処理システムが、前記モバイル・クライアントに前記ネットワークへのアクセスを提供する前に前記モバイル・クライアントにサービスを提供することができるかどうかを判断するようにさらに構成された、請求項１に記載のアドホック・サービス・プロバイダ。
【請求項９】
前記処理システムが、サービス品質要件、帯域幅要件、待ち時間要件、処理要件、バッテリ使用要件、または所要のネットワークアクセス時間に基づいて、前記モバイル・クライアントにサービスを提供することができるかどうかを判断するようにさらに構成された、請求項８に記載のアドホック・サービス・プロバイダ。
【請求項１０】
アドホック・サービス・プロバイダであって、
ユーザ・インターフェースと、
ユーザが前記ユーザ・インターフェースを介してネットワークにワイヤレスでアクセスできるようにするための手段と、
リモート・サーバによって認証されたモバイル・クライアントに対して前記ネットワークへのワイヤレス・アクセス・ポイントを提供するための手段と、
前記アドホック・サービス・プロバイダの能力に部分的に基づいて、前記ネットワークに亘って期待されるサービスを特定するサービス情報を前記モバイル・クライアントに通知するための手段と、
前記モバイル・クライアントに関連するリソース利用をモニタするための手段と、
を備えるアドホック・サービス・プロバイダ。
【請求項１１】
前記モバイル・クライアントの前記認証をサポートするために前記モバイル・クライアントと前記サーバとの間で認証メッセージをルーティングするための手段をさらに備える、請求項１０に記載のアドホック・サービス・プロバイダ。
【請求項１２】
別のモバイル・クライアントとのワイヤレス・リンクを維持するための手段をさらに備え、前記ワイヤレス・リンクが、前記別のアドホック・サービス・プロバイダへの前記別のモバイル・クライアントのハンドオフを円滑にするために維持される、請求項１０に記載のアドホック・サービス・プロバイダ。
【請求項１３】
ハンドオフ前に前記別のモバイル・クライアントを事前認証するために、前記モバイル・クライアントと前記サーバとの間で認証メッセージをルーティングするための手段をさらに備える、請求項１０に記載のアドホック・サービス・プロバイダ。
【請求項１４】
前記ワイヤレス・アクセス・ポイントからサービス情報をブロードキャストするための手段をさらに備える、請求項１０に記載のアドホック・サービス・プロバイダ。
【請求項１５】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項１４に記載のアドホック・サービス・プロバイダ。
【請求項１６】
前記サービス情報を動的に変化させるための手段をさらに備える、請求項１４に記載のアドホック・サービス・プロバイダ。
【請求項１７】
前記モバイル・クライアントに前記ネットワークへのアクセスを提供する前に前記モバイル・クライアントにサービスを提供することができるかどうかを判断するための手段をさらに備える、請求項１０に記載のアドホック・サービス・プロバイダ。
【請求項１８】
前記モバイル・クライアントにサービスを提供することができるかどうかを判断するための前記手段が、サービス品質要件、帯域幅要件、待ち時間要件、処理要件、バッテリ使用要件、または所要のネットワークアクセス時間に基づく、請求項１７に記載のアドホック・サービス・プロバイダ。
【請求項１９】
ユーザ・インターフェースを有するアドホック・サービス・プロバイダからサービスを提供する方法であって、
ユーザが前記ユーザ・インターフェースを介してネットワークにワイヤレスでアクセスできるようにすることと、
リモート・サーバによって認証されたモバイル・クライアントに前記ネットワークへのワイヤレス・アクセス・ポイントを提供することと、
前記アドホック・サービス・プロバイダの能力に部分的に基づいて、前記ネットワークに亘って期待されるサービスを特定するサービス情報を前記モバイル・クライアントに通知することと、
前記モバイル・クライアントに関連するリソース利用をモニタすることと、
を備える方法。
【請求項２０】
前記モバイル・クライアントの前記認証をサポートするために前記モバイル・クライアントと前記サーバとの間で認証メッセージをルーティングすることをさらに備える、請求項１９に記載の方法。
【請求項２１】
別のモバイル・クライアントとのワイヤレス・リンクを維持することをさらに備え、前記ワイヤレス・リンクが、前記別のアドホック・サービス・プロバイダへの前記別のモバイル・クライアントのハンドオフを円滑にするために維持される、請求項１９に記載の方法。
【請求項２２】
ハンドオフ前に前記別のモバイル・クライアントを事前認証するために、前記モバイル・クライアントと前記サーバとの間で認証メッセージをルーティングすることをさらに備える、請求項２１に記載の方法。
【請求項２３】
前記ワイヤレス・アクセス・ポイントからサービス情報をブロードキャストすることをさらに備える、請求項１９に記載の方法。
【請求項２４】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項２３に記載の方法。
【請求項２５】
前記サービス情報を動的に変化させることをさらに備える、請求項２３に記載の方法。
【請求項２６】
前記モバイル・クライアントに前記ネットワークへのアクセスを提供する前に前記モバイル・クライアントにサービスを提供することができるかどうかを判断することをさらに備える、請求項１９に記載の方法。
【請求項２７】
前記モバイル・クライアントにサービスを提供することができるかどうかを判断することが、サービス品質要件、帯域幅要件、待ち時間要件、処理要件、バッテリ使用要件、または所要のネットワークアクセス時間に基づく、請求項２６に記載の方法。
【請求項２８】
ユーザ・インターフェースを有するアドホック・サービス・プロバイダ内のコンピュータ処理システムによって実行可能な命令を格納するコンピュータ可読記憶媒体であって、前記命令が、
ユーザが前記ユーザ・インターフェースを介してネットワークにワイヤレスでアクセスできるようにするためのコードと、
リモート・サーバによって認証されたモバイル・クライアントに前記ネットワークへのワイヤレス・アクセス・ポイントを提供するためのコードと
前記アドホック・サービス・プロバイダの能力に部分的に基づいて、前記ネットワークに亘って期待されるサービスを特定するサービス情報を前記モバイル・クライアントに通知するためのコードと、
前記モバイル・クライアントに関連するリソース利用をモニタするためのコードと、
を備える、コンピュータ可読記憶媒体。
【請求項２９】
前記命令が、前記モバイル・クライアントの前記認証をサポートするために前記モバイル・クライアントと前記サーバとの間で認証メッセージをルーティングするためのコードをさらに備える、請求項２８に記載のコンピュータ可読記憶媒体。
【請求項３０】
前記命令が、別のモバイル・クライアントとのワイヤレス・リンクを維持するためのコードをさらに備え、前記ワイヤレス・リンクが、前記別のアドホック・サービス・プロバイダへの前記別のモバイル・クライアントのハンドオフを円滑にするために維持される、請求項２８に記載のコンピュータ可読記憶媒体。
【請求項３１】
前記命令が、ハンドオフ前に前記別のモバイル・クライアントを事前認証するために、前記モバイル・クライアントと前記サーバとの間で認証メッセージをルーティングするためのコードをさらに備える、請求項３０に記載のコンピュータ可読記憶媒体。
【請求項３２】
前記命令が、前記ワイヤレス・アクセス・ポイントからサービス情報をブロードキャストするためのコードをさらに備える、請求項２８に記載のコンピュータ可読記憶媒体。
【請求項３３】
前記サービス情報が、サービスのコストと、サービスの継続時間と、前記アドホック・サービス・プロバイダの識別情報と、前記アドホック・サービス・プロバイダの利用可能性と、前記アドホック・サービス・プロバイダの品質基準とを含む、請求項３２に記載のコンピュータ可読記憶媒体。
【請求項３４】
前記命令が、前記サービス情報を動的に変化させるためのコードをさらに備える、請求項３２に記載のコンピュータ可読記憶媒体。
【請求項３５】
前記命令が、前記モバイル・クライアントに前記ネットワークへのアクセスを提供する前に前記モバイル・クライアントにサービスを提供することができるかどうかを判断するためのコードをさらに備える、請求項２８に記載のコンピュータ可読記憶媒体。
【請求項３６】
前記モバイル・クライアントにサービスを提供することができるかどうかを判断するための前記コードが、サービス品質要件、帯域幅要件、待ち時間要件、処理要件、バッテリ使用要件、または所要のネットワークアクセス時間に基づいてそのような判断を行う、請求項３５に記載のコンピュータ可読記憶媒体。